(57)【要約】【課題】  贈答品が鮮魚や鮮肉のような生鮮食料品や果物のような生ものであっても、これらの鮮度を良好に保持したまま希望の日時に配達すること。【解決手段】  贈答券は、贈答券を受け取った贈答券受取者が選択する贈答品、及び、その贈答品を発送する発送元とを表示したカタログ片と、同カタログ片から選択した贈答品の品番とその贈答品の配達先と配達希望日時とを贈答券受取者が記載して控えとして保管する受取者用控え片と、同受取者用控え片に記載された内容が裏面に複写されると共に、表面に宛名として発送元の居所と名称を記載するようにした発注用葉書とを具備している。このようにして、発注用葉書の表面に発送元の居所と名称を記載して発注すれば、贈答品は、配送先から贈答品受取者の希望の場所に希望の日時に配達される。【選択図】      図１
0003105314.tif 000002
【実用新案登録請求の範囲】
【請求項１】
贈答券を受け取った贈答券受取者が選択する贈答品、及び、その贈答品を発送する発送元とを表示したカタログ片と、
同カタログ片から選択した贈答品の品番とその贈答品の配達先と配達希望日時とを贈答券受取者が記載して控えとして保管する受取者用控え片と、
同受取者用控え片に記載された内容が裏面に複写されると共に、表面に宛名として贈答品を発送する発送元の居所と名称を記載するようにした発注用葉書と
を具備することを特徴とする贈答券。
【請求項２】
発注用葉書の表面には、宛名として発送元の居所と名称に代えて集中管理者の居所と名称が印刷されていることを特徴とする請求項１記載の贈答券。
【請求項３】
発注用葉書には、管理用の情報を記録したバーコード、２次元コード、磁気テープ、及び、ＩＣタグ等の記録表示体を付設したことを特徴とする請求項１又は２記載の贈答券。
【請求項４】
カタログ片には、贈答品を発送する発送元の居所と名称が印刷された発送元表示片を剥離自在に設け、同発送元表示片をカタログ片から剥離して発注用葉書の宛名欄に貼付するようにしたことを特徴とする請求項１又は３記載の贈答券。
【請求項５】
カタログ片と受取者用控え片と発注用葉書は、小冊子状に一体的に綴じられ、少なくとも発注用葉書は切り離して使用可能としたことを特徴とする請求項１〜４のいずれか１項に記載の贈答券。
【考案の詳細な説明】
【技術分野】
【０００１】
本考案は、贈答券受取者が贈答品の配達先及び配達希望日時を指定することのできる贈答券に関する。
【背景技術】
【０００２】
従来、贈答券の一形態として、使用説明書と商品カタログと商品注文用葉書とがセットにされたものがある（例えば、実用新案文献１参照）。
【０００３】
そして、上記した贈答券では、贈答券受取者が、使用説明書に基づいて、商品カタログから好みの商品を選択して、選択した商品を商品注文用葉書に記載して返送すれば、その商品が送られてくるようになっている。
【特許文献１】実開昭５７−７６０７０号公報
【考案の開示】
【考案が解決しようとする課題】
【０００４】
ところが、上記した贈答券では、贈答される商品の配達先や配達日時は指定できないため、受取者が不在の時に商品が配達されるという不具合がある。
【０００５】
そのために、特に、生鮮食料品や果物のような鮮度保持を考慮しなければならないような生ものは、贈答品として敬遠されている。
【課題を解決するための手段】
【０００６】
そこで、本考案では、贈答券を受け取った贈答券受取者が選択する贈答品、及び、その贈答品を発送する発送元とを表示したカタログ片と、同カタログ片から選択した贈答品の品番とその贈答品の配達先と配達希望日時とを贈答券受取者が記載して控えとして保管する受取者用控え片と、同受取者用控え片に記載された内容が裏面に複写されると共に、表面に宛名として贈答品を発送する発送元の居所と名称を記載するようにした発注用葉書とを具備することを特徴とする贈答券を提供するものである。
【０００７】
また、本考案は、以下の構成にも特徴を有する。
【０００８】
（１）発注用葉書の表面には、宛名として発送元の居所と名称に代えて集中管理者の居所と名称が印刷されていること。
【０００９】
（２）発注用葉書には、管理用の情報を記録したバーコード、２次元コード、磁気テープ、及び、ＩＣタグ等の記録表示体を付設したこと。
【００１０】
（３）カタログ片には、贈答品を発送する発送元の居所と名称が印刷された発送元表示片を剥離自在に設け、同発送元表示片をカタログ片から剥離して発注用葉書の宛名欄に貼付するようにしたこと。
【００１１】
（４）カタログ片と受取者用控え片と発注用葉書は、小冊子状に一体的に綴じられ、少なくとも発注用葉書は切り離して使用可能としていること。
【考案の効果】
【００１２】
（１）請求項１記載の本考案に係る贈答券は、贈答券を受け取った贈答券受取者が選択する贈答品、及び、その贈答品を発送する発送元とを表示したカタログ片と、同カタログ片から選択した贈答品の品番とその贈答品の配達先と配達希望日時とを贈答券受取者が記載して控えとして保管する受取者用控え片と、同受取者用控え片に記載された内容が裏面に複写されると共に、表面に宛名として贈答品を発送する発送元の居所と名称を記載するようにした発注用葉書とを具備している。
【００１３】
このようにして、発注用葉書には、贈答券受取者が受取者用控え片に記載した贈答品の品番とその配達先と配達希望日時が複写されるようにしているため、同発注用葉書の表面に発送元の居所と名称を記載して発注すれば、贈答品は、配送先から贈答品受取者の希望の場所に希望の日時に配達される。
【００１４】
そのため、配送先は、贈答品が鮮魚や鮮肉のような生鮮食料品や果物のような生ものであっても、これらの鮮度を良好に保持したまま希望の日時に配達することができる。
【００１５】
従って、本場の生鮮食料品や果物を鮮度を良好に保持したまま、効率良く配達することができる。
【００１６】
また、配達される贈答品の品番と配達先と配達希望日は、受取者用控え片により確認することができる。
【００１７】
（２）請求項２記載の本考案に係る贈答券は、発注用葉書の表面に、宛名として発送元の居所と名称に代えて集中管理者の居所と名称が印刷されている。
【００１８】
このようにして、発注用葉書に集中管理者の居所と名称を印刷しておくことにより、贈答品受取者が宛名を記載する手間を省くことができると共に、贈答品受取者の誤記を防止することができる。
【００１９】
そして、集中管理者は、指定された贈答品の品番と配達先と配達希望日時を考慮して、所定の配送先の中から配送先を選択し、その選択した配送先に指定された贈答品の品番と配達先と配達希望日時を通知することができる。
【００２０】
また、配送先は、指定された品番の贈答品を指定された配達先に指定された配達希望日時に配達することができる。
【００２１】
このように、集中管理者は、発注用葉書を集中管理することができるため、発注された贈答品の配達状況等を集中管理することができる。
【００２２】
（３）請求項３記載の本考案に係る贈答券は、発注用葉書に、管理用の情報を記録したバーコード、２次元コード、磁気テープ、及び、ＩＣタグ等の記録表示体を付設している。
【００２３】
このようにして、発注用葉書に管理用の情報を記録した記録表示体を付設しているため、同記録表示体を介して管理用の情報（例えば、贈答品の販売者を特定する情報）を容易に入手することができて、配送管理や売上管理等の所望の管理を適切に行うことができる。
【００２４】
（４）請求項４記載の本考案に係る贈答券は、カタログ片に、贈答品を発送する発送元の居所と名称が印刷された発送元表示片を剥離自在に設け、同発送元表示片をカタログ片から剥離して発注用葉書の宛名欄に貼付するようにしている。
【００２５】
このようにして、カタログ片から剥離した発送元表示片を発注用葉書の宛名欄に貼付することにより、贈答品受取者が宛名を記載する手間を省くことができると共に、贈答品受取者の誤記を防止することができる。
【００２６】
（５）請求項５記載の本考案に係る贈答券では、カタログ片と受取者用控え片と発注用葉書は、小冊子状に一体的に綴じられ、少なくとも発注用葉書は切り離して使用可能としている。
【００２７】
このようにして、贈答券を形成するカタログ片と受取者用控え片と発注用葉書は、小冊子状に一体的に綴じているため、特に、受取者用控え片や発注用葉書を紛失するという不具合を防止することができる。
【００２８】
そして、少なくとも発注用葉書は切り離して使用可能としているため、発注用葉書を郵送する際には、これだけを切り離して使用（郵送）することができる。
【考案を実施するための最良の形態】
【００２９】
以下に、本考案に係る最良の実施形態について図面を参照しながら説明する。
【００３０】
図1〜図３に示すＡは、本考案に係る贈答券であり、同贈答券Ａは、小冊子状に一体的に綴じて形成したカタログ片１の最終頁1aの前の頁1bに受取者用控え片２を設けると共に、最終頁1aに発注用葉書３を設けている。
【００３１】
すなわち、カタログ片1には、図１及び図２に示すように、贈答券Ａを受け取った贈答券受取者P1（図４参照）が選択する贈答品４の品番５、及び、その贈答品４を発送する発送元P2の名称６を表示している。
【００３２】
そして、カタログ片１の最終頁1a、すなわち、後述する発注用葉書３を設けている頁の裏面には、図３に示すように、贈答品４を発送する発送元P2（図４参照）の宛名（居所と名称）が印刷された発送元表示片Ｓを剥離自在に設け、同発送元表示片Ｓをカタログ片１の最終頁1aから剥離して発注用葉書３の宛名欄11に貼付するようにしている。
【００３３】
ここで、贈答券受取者P1は、購入者P4（図４参照）から贈答券Ａを贈答された人、又は、贈答券Ａを購入者P4自身が使用する場合はその購入者P4である。発送元P2は、生産者である農家や漁師等はもとより、卸業者、仲卸業者も含むものである。
【００３４】
受取者用控え片２には、図２及び図３に示すように、上記カタログ片１から選択した贈答品４の品番５を表示する品番表示欄７と、その贈答品４の配達先P7（図４参照）を表示する配達先表示欄８と、配達希望日時を表示する配達希望日時表示欄９とを設けており、これらの各表示欄7,8,9には、それぞれ贈答券受取者P1がボールペン等により記載して、同受取者用控え片２を控えとして保管するようにしている。
【００３５】
そして、受取者用控え片２は、裏面にカーボン紙10を貼付して、各表示欄7,8,9に記載した内容が、後述する発注用葉書３に複写されるようにしている。
【００３６】
また、受取者用控え片２は、カタログ片１の最終頁１の前の頁1bより切取線17に沿って切り取り可能として、同受取者用控え片２だけを別途保管することができるようにしている。18は、受取者用控え片２の説明欄である。
【００３７】
発注用葉書３は、図２及び図３に示すように、表面側3a（カタログ片１の最終頁1aの裏面）に贈答品４を発送する発送元の居所と名称と郵便番号を記載する宛名欄11を設けると共に、記録表示体12を下部に付設する一方、裏面側3b（カタログ片１の最終頁1aの表面）に品番表示欄13と配達先表示欄14と配達希望日時表示欄15とを設けると共に、各表示欄13,14,15は、受取者用控え片２の各表示欄7,8,9と前後重合状態にて整合すべく配置している。
【００３８】
このようにして、受取者用控え片２の各表示欄7,8,9に記載された内容は、前記カーボン紙10を介して発注用葉書３の各表示欄13,14,15にそのまま複写されるようにしている。
【００３９】
そして、記録表示体12としては、少なくともバーコード、２次元コード、磁気テープ、及び、ＩＣタグ等の内のいずれか一つを使用して管理用の情報を記録しており、本実施の形態では贈答券Ａの販売者P3（図４参照）をバーコードに記録している。
【００４０】
また、発注用葉書３は、カタログ片１の最終頁１より切取線19に沿って切り取り可能として、同発注用葉書３を郵送することができるようにしている。2 0,21は、発注用葉書３の説明欄である。
【００４１】
次に、図４を参照しながら贈答券Ａの使用形態について説明する。
【００４２】
（贈答券の使用形態）
（１）図４に示すように、贈答券Ａは、販売者P3（例えば、デパートやギフトショップ）から購入者P4が購入する。
【００４３】
（２）購入者P4が特定の人に贈答するか、又は、購入者P4自身が使用する。
【００４４】
すなわち、贈答券Ａを贈答された人又は贈答券Ａを使用する購入者P4自身が、贈答券受取者P1となる。
【００４５】
（３）贈答券受取者P1は、カタログ片１から所望の贈答品４を選択し、選択した贈答品４の品番５を受取者用控え片２の品番表示欄７にボールペン等により記載する。
【００４６】
続いて、贈答券受取者P1は、贈答品４の配達先P7、例えば、自宅や実家を配達先表示欄８にボールペン等により記載すると共に、配達希望日時を配達希望日時表示欄９にボールペン等により記載する。
【００４７】
かかる状態において、発注用葉書３の裏面側3bに設けられた品番表示欄13と配達先表示欄14と配達希望日時表示欄15には、受取者用控え片２の各表示欄7,8,9に記載された内容が前記カーボン紙10を介してそのまま複写されている。
【００４８】
次に、贈答券受取者P1は、発注用葉書３を設けている最終頁1aに剥離自在に設けられた発送元表示片Ｓを剥離して、発注用葉書３の表面側3aに設けた宛名欄11に貼付する。
【００４９】
この際、発送元P2が複数設定されていて、各発送元P2毎に発送元表示片Ｓが用意されている場合には、選択した贈答品４の発送元P2の発送元表示片Ｓを剥離すると共に、宛名欄11に貼付する。
【００５０】
そして、発注用葉書３をカタログ片１の最終頁1aから切取線19に沿って切り取り、郵便ポストP4に投函する。
【００５１】
（４）郵便ポストP5に投函された発注用葉書３は、郵便局P6を通して発送元P2に郵送される。
【００５２】
（５）発注用葉書３を受け取った発送元P2は、指定された品番５の贈答品４を指定された配達先P7に配達希望日時に配達する。
【００５３】
そして、発送元P2は、発注用葉書３の表面側3aの下部に付設された記録表示体12に記録された情報（例えば、贈答券Ａを販売した販売者P3の情報）を所定の記録読み取り装置により読み取り、読み取った販売者P3に発送料金等を請求する。そうすると、同販売者P3から発送元P2に発送料金等が支払われる。
【００５４】
また、贈答券受取者P1は、受取者用控え片２に記載した贈答品４が指定した配達先P7に配達希望日に配達されたか否かを、同受取者用控え片３により確認することができる。
【００５５】
この際、受取者用控え片２は、必要に応じてカタログ片１から切り離しておくことができる。
【００５６】
次に、贈答券Ａの他の実施形態とその使用形態について、図５を参照しながら説明する。
【００５７】
（他の実施形態としての贈答券とその使用形態）
（１）他の実施形態としての贈答券Ａは、発注用葉書３の表面側3aに、宛名として集中管理者P8（図５参照）の居所と名称があらかじめ印刷されている。
【００５８】
そして、かかる贈答券Ａの場合、図５に示すように、発注用葉書３が郵便ポストP5に投函されると、同発注用葉書３は、郵便局P6を通して集中管理者P8（例えば、集中管理センター）に郵送される。
【００５９】
（２）集中管理者P8は、指定された贈答品４の品番５と配達先P7と配達希望日時を考慮して、あらかじめ会員登録されている所定の配送先P2の中から適切な一つの配送先P2を選択し、その選択した配送先P2に、指定された贈答品４の品番５と配達先P7と配達希望日時を通知する。
【００６０】
ここで、集中管理者P8は、発注用葉書３の表面側3aの下部に付設された記録表示体12に記録された情報（例えば、贈答券Ａを販売した販売者P3の情報）を所定の記録読み取り装置により読み取り、読み取った販売者P3に発送料金等を請求する。そうすると、同販売者P3から集中管理者P8に発送料金等が支払われる。
【００６１】
（３）選択された配送先P2は、指定された品番の贈答品４を指定された配達先P7に指定された配達希望日時に配達する。
【００６２】
ここで、発送元P2は、集中管理者P8に発送料金等を請求する。そうすると、同集中管理者P8から発送元P2に発送料金等が支払われる。
【００６３】
このように、集中管理者P8は、発注用葉書３を集中管理することができるため、発注された贈答品４の配達状況等を集中管理することができる。
【図面の簡単な説明】
【００６４】
【図１】本考案に係る贈答券のカタログ片と受取者用控え片とを展開した開放状態の斜視説明図。
【図２】同贈答券の受取者用控え片と発注用葉書とを展開した開放状態の斜視説明図。
【図３】同贈答券の発注用葉書の表面側の斜視説明図。
【図４】贈答券の使用形態を示すブロック説明図。
【図５】他の実施形態としての贈答券の使用形態を示すブロック説明図。
【符号の説明】
【００６５】
Ａ  贈答券
P1  贈答券受取者
P2  発送元
P3  販売者
P4  購入者
P5  郵便ポスト
P6  郵便局
P7  配達先
P8  集中管理者
１  カタログ片
２  受取者用控え片
３  発注用葉書
【図１】
0003105314.tif 000003
【図２】
0003105314.tif 000004
【図３】
0003105314.tif 000005
【図４】
0003105314.tif 000006
【図５】
0003105314.tif 000007